(57)【要約】【課題】  測定器の取り扱いに不慣れな者でも円滑に測定作業を行うことが可能な頚部簡易測定具を提供すること。【解決手段】  後頭部にあてがわれる第１当接部３と背中にあてがわれる第２当接部４を適宜間隔を置いて設けた枠体１と、頚部に密着状に接触させる挿入部１１ａ〜１１ｃを複数並設すると共に各挿入部の高さを異なるように設けた測定部材１０とからなり、第１当接部３を後頭部にあてがい第２当接部４を背中にあてがった状態にて枠体１の内面と頚部の間に測定部材１０の挿入部１１ａ〜１１ｃを挿入することにより、頚部の大略の高さを測定する。【選択図】  図３
0003114599.tif 000002
【実用新案登録請求の範囲】
【請求項１】
後頭部にあてがわれる第１当接部と背中にあてがわれる第２当接部を適宜間隔を置いて設けた枠体と、頚部に密着状に接触させる挿入部を複数並設すると共に各挿入部の高さを異なるように設けた測定部材とからなり、その第１当接部を後頭部にあてがい第２当接部を背中にあてがった状態にて当該枠体の内面と頚部の間に前記測定部材の挿入部を挿入することにより、頚部の大略の高さを測定することができることを特徴とする頚部簡易測定具。
【請求項２】
後頭部にあてがわれる第１当接部と背中にあてがわれる第２当接部を適宜間隔を置いて設けた枠体と、頚部に密着状に接触させる挿入部の高さを夫々異ならせた複数の測定部材とからなり、その第１当接部を後頭部にあてがい第２当接部を背中にあてがった状態にて当該枠体の内面と頚部の間に何れかの前記測定部材の挿入部を挿入することにより、頚部の大略の高さを測定することができることを特徴とする頚部簡易測定具。
【請求項３】
前記枠体に杷手を設けたことを特徴とする請求項１又は２に記載の頚部簡易測定具。
【考案の詳細な説明】
【技術分野】
【０００１】
本考案は、枕を購入・選択する場合における頚部の高さ（深さ）を簡易に測定可能な測定具に関するものである。
【背景技術】
【０００２】
店頭にて枕を購入・選択する場合には、枕のデザイン、枕の素材、枕に充填されている蕎麦殻、天然繊維綿、プラスチック製小片等の充填物やクッション性等を考慮し、使用者の好みに合うものを選択するのが一般的である。
【０００３】
他方、使用者の頚部の深さ等を測定器によって測定し、そのデータに基づいて枕を選択する際の目安にする手法も知られている。例えば、特開２００１−２９９５４５号公報には、枕購入者の頚椎深さ等を測定する頚椎弧測定工程と、枕に充填される充填材の素材を選ぶ素材選択工程と、それら頚椎弧測定工程及び素材選択工程から得られたデータに基づいて、予め用意された枕の中から選択した枕を用いて試し寝をするテスト工程と、各工程のデータに基づいてアドバイザーが購入者にアドバイスをすることにより購入者が枕を選択する「枕の選択アドバイスシステム」が提案されている。
【０００４】
上記アドバイシステムにおける頚椎弧測定工程においては、専用の測定器を用いて購入者の頚椎深さ等を測定することになるが、測定者が測定器の取り扱いに慣れていなければ円滑に適切な測定作業を行うことができないであろう。
【特許文献１】特開２００１−２９９５４５号公報
【考案の開示】
【考案が解決しようとする課題】
【０００５】
この考案の目的は、測定器の取り扱いに不慣れな者でも円滑に測定作業を行うことが可能な頚部簡易測定具を提供することにある。
【課題を解決するための手段】
【０００６】
請求項１に記載の考案は、後頭部にあてがわれる第１当接部と背中にあてがわれる第２当接部を適宜間隔を置いて設けた枠体と、頚部に密着状に接触させる挿入部を複数並設すると共に各挿入部の高さを異なるように設けた測定部材とからなり、その第１当接部を後頭部にあてがい第２当接部を背中にあてがった状態にて当該枠体の内面と頚部の間に前記測定部材の挿入部を挿入することにより、頚部の大略の高さを測定することができることを特徴とする。
【０００７】
請求項２に記載の考案は、後頭部にあてがわれる第１当接部と背中にあてがわれる第２当接部を適宜間隔を置いて設けた枠体と、頚部に密着状に接触させる挿入部の高さを夫々異ならせた複数の測定部材とからなり、その第１当接部を後頭部にあてがい第２当接部を背中にあてがった状態にて当該枠体の内面と頚部の間に何れかの前記測定部材の挿入部を挿入することにより、頚部の大略の高さを測定することができることを特徴とするものである。
【考案の効果】
【０００８】
（請求項１の考案）
この頚部簡易測定具は、第１当接部を後頭部にあてがい第２当接部を背中にあてがった状態にて枠体の内面と頚部の間に測定部材を挿入するときに挿入部の箇所を変えながら頚部の大略の高さを円滑に測定することができ、大変使い勝手が良い。加えて、簡素な構造であるため安価に製造可能である。
【０００９】
（請求項２の考案）
この頚部簡易測定具は、挿入部の高さを夫々異ならせた複数の測定部材を適宜差し替えて頚部の大略の高さを測定するようにされており、測定作業を円滑に行うことができる。
【考案を実施するための最良の形態】
【００１０】
以下に、本考案の最良の形態例を図面に基づいて説明する。図１は頚部簡易測定具の枠体の斜視図、図２は測定部材の斜視図、図３は本考案の頚部簡易測定具の使用方法を説明する模式図である。
【００１１】
本考案の頚部簡易測定具ｍは、枠体１と測定部材１０とから構成されている。図１に示すように、その枠体１は、縦長矩形状平板２の表面に、ウレタンフォーム等の弾力性を有する素材を用いた後頭部にあてがわれる第１当接部３を設け、その第１当接部３から当該枠体１の長手方向に適宜間隔をおいた広い範囲の箇所を背中にあてがわれる第２当接部４としている。５は矩形板２の裏面に設けられた杷手である。
【００１２】
なお、枠体１については上記縦長矩形状平板の形態に限定されることなく、第１当接部と第２当接部を設け、後記測定部材を挿入可能な形態であればよい。
【００１３】
測定部材１０は、図２に示すように、ほぼ角棒形状とされていて、頚部に密着状に接触させる三箇所の挿入部１１ａ〜１１ｃを並設し、各挿入部１１ａ〜１１ｃの高さがＬ，Ｍ，Ｈの三段階に異なるように設けられている。
【００１４】
上記測定部材１０では、頚部に密着状に接触させる挿入部１１ａ〜１１ｃの高さをＬ，Ｍ，Ｈの三段階に異なるように一体に設けられているが、これに限定されることなく、挿入部の高さ（Ｌ，Ｍ，Ｈ）の異なる測定部材を３個用意すれば同様の目的を果たすことができる（請求項２の考案）。
【００１５】
つぎに、かかる構成になる本考案の頚部簡易測定具ｍの使用方法について説明する。
図３に示すように、被測定者ｐが立ったままの姿勢において、頚部簡易測定具ｍの第１当接部３を後頭部ａにあてがい第２当接部４を背中ｂにあてがった状態で、枠体１の内面と頚部ｃの間に測定部材１０を挿入する。このときに、測定部材１０の挿入部１１ａ〜１１ｃの箇所を被測定者ｐの好みに合わせることにより頚部の大略の高さを測定することができる。
【００１６】
以上に述べた通り、この頚部簡易測定具は、第１当接部を後頭部にあてがい第２当接部を背中にあてがった状態にて枠体の内面と頚部の間に測定部材を挿入するときに挿入部の箇所を変えながら頚部の大略の高さを円滑に測定することができ、大変使い勝手が良い。
【図面の簡単な説明】
【００１７】
【図１】本考案の頚部簡易測定具の枠体の斜視図
【図２】測定部材の斜視図
【図３】本考案の頚部簡易測定具の使用方法を説明する模式図
【符号の説明】
【００１８】
ｍ・・・頚部簡易測定具
１・・・枠体
３・・・第１当接部
４・・・第２当接部
１０・・・測定部材
１１ａ〜１１ｃ・・・挿入部
【図１】
0003114599.tif 000003
【図２】
0003114599.tif 000004
【図３】
0003114599.tif 000005